(57)【要約】【課題】吐水口から吐水される流体を光で十分に発光させることにより、周囲の照明状態等に係わらず流体の温度を使用者が明確に視認し得る吐水装置を提供する。【解決手段】先端部に吐水口が設けられた吐水管と、該吐水管の吐水口から流体を吐水させる操作部材と、その操作により吐水管から吐水される流体の温度を調整する温度調整部材と、を備えた吐水装置であって、吐水管から吐水される流体に光源から光を照射することにより流体の色を変化させる流体色調整手段を設けると共に、光源から照射される光を反射させて吐水口から吐水される流体を発光させる反射手段を設けたことを特徴とする。前記反射手段は、吐水管の内面を鏡面仕上げすることによって形成されたり、吐水管内にその反射方向が吐水口方向に指向した状態で配置された反射部材で形成される。【選択図】　図１
2004124450.tif 000002
【特許請求の範囲】
【請求項１】
先端部に吐水口が設けられた吐水管と、該吐水管の吐水口から流体を吐水させる操作部材と、その操作により吐水管から吐水される流体の温度を調整する温度調整部材と、を備えた吐水装置であって、
前記吐水管から吐水される流体に光源から光を照射することにより流体の色を変化させる流体色調整手段を設けると共に、前記光源から照射される光を反射させて吐水口から吐水される流体を発光させる反射手段を設けたことを特徴とする吐水装置。
【請求項２】
前記反射手段は、吐水管の内面を鏡面仕上げすることによって形成されていることを特徴とする請求項１に記載の吐水装置。
【請求項３】
前記反射手段は、吐水管内にその反射方向が吐水口方向に指向した状態で配置された反射部材で形成されていることを特徴とする請求項１に記載の吐水装置。
【請求項４】
前記光源は、その光が反射手段に向けて照射されるように吐水管の所定位置に設けられていることを特徴とする請求項１ないし３のいずれかに記載の吐水装置。
【請求項５】
前記流体色調整手段は、光源からの光の色が前記温度調整部材に連動して調整されることを特徴とする請求項１ないし４のいずれかに記載の吐水装置。
【発明の詳細な説明】
【０００１】
【発明の属する技術分野】
本発明は、例えば浴室水栓や洗面室水栓等のように、所定温度の湯や水をその吐水口から吐水させる吐水装置に関する。
【０００２】
【従来の技術】
一般的に、システムバス等の浴室においては、カウンタ上部に洗い場で使用する湯や水（湯水という）を吐水させる浴室水栓が設けられており、この浴室水栓としては、例えば図６もしくは図７に示すものが使用されている。図６に示す浴室水栓１０１は、カウンタ１０６の上面等に取り付けられるものでデッキタイプと称され、水栓カバー１０２の上面に回動可能に突出状態で配設された吐水管１０３と、水栓カバー１０２の右側面に設けられその操作により吐水管の吐水口から湯水を吐水させる操作ハンドル１０４と、水栓カバー１０２の上面前方の傾斜面に設けられた温度調整ダイヤル１０５等を有している。そして、吐水管１０３を回動させて吐水口をカウンタ１０６上部やバスタブ上部に位置させ、温度調整ダイヤル１０５を所定温度に設定して操作ハンドル１０４を操作することにより、所定温度の湯水を洗い場で使用したりバスタブ内へ供給したりすることができるようになっている。
【０００３】
また、図７に示す浴室水栓１０１は、カウンタ１０６上部のミラーパネル２０６等に一体的に組み込まれるものでビルトインタイプと称され、水栓カバー２０２の下面に下方に向けて突出状態で配設された吐水口２０３（吐水管）と、水栓カバー２０２の右側面に設けられその操作により吐水口２０３から湯水を吐水させる操作ハンドル２０４と、水栓カバー２０２の前面上部の傾斜面に設けられた温度調整ダイヤル２０５等を有している。そして、温度調整ダイヤル２０５を所定温度に設定して操作ハンドル２０４を操作することにより、洗い場で所定温度の湯水が使用できるようになっている。
【０００４】
そして、これらの浴室水栓１０１においては、図８に示すように、操作部１０５ａを有する温度調整ダイヤル１０５、２０５（図では温度調整ダイヤル１０５のみ示す）の外形形状を略半球状に形成しその外周面に温度指示マーク１０５ｂを設けると共に、温度調整ダイヤル１０５の外周側の水栓カバー１０２の表面に、高温域１０７ａと中温域１０７ｂ及び低温域１０７ｃを、例えば色分け表示した温度表示部１０７が設けられている。
【０００５】
ところが、このような浴室水栓１０１においては、温度表示部１０７や温度調整ダイヤル１０５、２０５の形状及びデザインが様々で一見して温度を明確に認識することが困難な場合がある。また、一般的に、浴室水栓１０１でデザイン性を優先する場合には、温度表示部１０７や温度指示マーク１０５ａを必要以上に大きくし難いため温度表示部１０７等が見難くなる傾向にあり、逆に、温度表示部１０７等を見易くすると浴室水栓１０１のデザイン性が劣る傾向にある。さらに昨今、浴室内のリクラゼーション効果として、浴室全体の照明光量を落とし部分的な光（間接光等）を用いる浴室が提案されているが、このような薄暗い浴室内においては、浴室水栓１０１の前記温度表示部１０７等の視認性が劣り、より一層温度表示部１０７等が見難くなるといった不都合もあった。
【０００６】
そこで、このように不都合を解消するために、例えば特許文献１に開示されているように、浴室水栓の吐水口部分に照明装置を配置して、水栓の手元を照らす浴室水栓や、特許文献２に開示されているように、浴室水栓の胴体部に赤、青、黄色のＬＥＤを配置したハンドルを組み付け、吐水される湯水の温度によりハンドルの所定色のＬＥＤを点灯させる浴室水栓も提案されている。
【０００７】
【特許文献１】
特開平５−２０２５４０号公報
【特許文献２】
特開２００１−１２３４８５号公報
【０００８】
【発明が解決しようとする課題】
しかしながら、特許文献１の浴室水栓においては、浴室水栓の手元部分を単に所定の照明で照らすだけであるため、入浴者が吐水される湯水の温度を前述したような温度表示部１０７等以外で視認することが困難であり、図６及び図７に示す浴室水栓１０１と同様、浴室内の各種照明状態において所望の温度の湯水を簡単に使用することが難しいという問題点を有している。
【０００９】
また、特許文献２の浴室水栓においては、ハンドルの位置によって所定色のＬＥＤが点灯することから、このＬＥＤによって湯水の温度を視認できるものの、ハンドル操作（湯水の温度）に応じて、操作したハンドルに設けた所定色のＬＥＤが点灯するのみであるため、湯水の温度を表示するＬＥＤの表示が部分的となり易い。また、ハンドルの位置によっては点灯するＬＥＤが吐水管で隠れる状態になる等、ハンドルとは異なる位置にある吐水口から吐水される湯水の温度を入浴者が明確に視認することが難しいという問題点を有している。
【００１０】
本発明は、このような事情に鑑みてなされたもので、その目的は、吐水口から吐水される流体を光で十分に発光させることにより、周囲の照明状態等に係わらず流体の温度を使用者が明確に視認し得る吐水装置を提供することにある。
【００１１】
【課題を解決するための手段】
かかる目的を達成すべく、本発明のうち請求項１に記載の発明は、先端部に吐水口が設けられた吐水管と、該吐水管の吐水口から流体を吐水させる操作部材と、その操作により吐水管から吐水される流体の温度を調整する温度調整部材と、を備えた吐水装置であって、前記吐水管から吐水される流体に光源から光を照射することにより流体の色を変化させる流体色調整手段を設けると共に、前記光源から照射される光を反射させて吐水口から吐水される流体を発光させる反射手段を設けたことを特徴とする。
【００１２】
このように構成することにより、例えば温度調整部材を所定位置に設定して操作ハンドルを操作すると、流体色調整手段の光が吐水管中の流体に照射されて該流体が所定色に発光すると共に、吐水管内の流体が光を反射する反射手段によって発光が促進された状態で吐水される。これにより、流体が光によって効率的に発光されて、吐水装置の設置場所の照明状態等に係わらず流体自体の色で流体の温度が一見して明確に把握される等、流体温度の視認性が十分に高められる。
【００１３】
そして、前記反射手段は、請求項２に記載の発明のように、吐水管の内面を鏡面仕上げすることによって形成されていることが好ましい。このように構成することにより、吐水管の内面を研磨やメッキ等して鏡面に仕上げることで反射手段が形成されることから、反射手段を簡易に構成できると共に、吐水管内面の流体抵抗の低減化が図れる。
【００１４】
また、前記反射手段は、請求項３に記載の発明のように、吐水管内にその反射方向が吐水口方向に指向した状態で配置された反射部材で形成されていることが好ましい。このように構成することにより、反射鏡等の反射部材によって反射手段が形成されることから、反射部材を最適位置に設置できて、例えば吐水口から吐水される流体を光で一層効率的に発光できる。
【００１５】
また、前記光源は、請求項４に記載の発明のように、その光が反射手段に向けて照射されるように吐水管の所定位置に設けられていることが好ましい。このように構成することにより、流体を発光させる光源が反射部材に対応して吐水管に設けられていることから、光源の光を反射手段に確実に照射できて、その反射光等で吐水口から吐水される流体を一層効率的に発光できる。
【００１６】
また、前記流体色調整手段は、請求項５に記載の発明のように、光源からの光の色が前記温度調整部材に連動して調整されることが好ましい。このように構成することにより、流体の温度を設定する温度調整部材に連動して流体色調整手段が動作することから、例えば設定された流体の温度に応じた色で流体を発光させることができ、温度に応じた発光色の流体が容易に得られて、流体温度の把握が簡単かつ確実に行える。
【００１７】
【発明の実施の形態】
以下、本発明の実施の形態を図面に基づいて詳細に説明する。
図１〜図３は、本発明に係わる吐水装置を浴室水栓に適用した場合の一実施形態を示し、図１がその基本的構成を模式的に示す縦断面図、図２がその流体色調整手段の具体的構成の断面図、図３が図２のＡ−Ａ線矢視図である。
【００１８】
図１において、吐水装置１は、箱状の水栓カバー２を有し、この水栓カバー２の上面後部の水平面上には、所定長さの吐水管３の基部が回動可能に配設されている。吐水管３は、その内部に吐水流路３ａが形成されると共に、この吐水流路３ａの端部である吐水管３の先端部には下方に指向した状態で吐水口３ｂが形成されている。そして、吐水管３は、その内面が研磨もしくはメッキ等の鏡面仕上げされることにより、内面全域に亘り鏡面３ｃが形成されている。
【００１９】
また、前記水栓カバー２の上面前部の傾斜面には、温度指示部４ｂが一体的に設けられた外形形状略半球状の操作部４ａと、この操作部４ａの回転位置に応じた所定の制御信号（温度信号）を図示しない給湯機器等に出力する温度制御部４ｃ等を有する温度調整ダイヤル４（温度調整部材）が回動操作可能に配設されている。なお、この吐水装置１の温度調整ダイヤル４や水栓カバー２あるいは図示しない操作ハンドル等は、図６に示す浴室水栓１０１と同様に構成されている。そして、この温度調整ダイヤル４と前記吐水管３の基部との間には、流体色調整手段５が配設されており、この流体色調整手段５は、吐水管３の基部で水栓カバー２内に配置され吐水管３内に複数色の光を照射する光源６と、この光源６から吐水管３内に照射される光の色を制御する光源制御部７等を有している。
【００２０】
また、この流体色調整手段５の具体的構成は、図２及び図３に示すように、プリント基板等からなる基板８上に配置された光源６としての３つのＬＥＤ６ａ〜６ｃと、この３つのＬＥＤ６ａ〜６ｃの光を吐水管３の所定位置まで導く光ファイバ９等によって構成される。基板８上には、例えばマイコンもしくは適宜の制御回路等からなる前記光源制御部７が構築され、この光源制御部７は、温度調整ダイヤル４の前記温度制御部４ｃに電気的に接続されている。なお、光源制御部７と温度制御部４ｃは別体で形成することもできるが、温度制御部４ｃに光源制御部７の機能を兼用させることで、マイコン等の使用個数を減少させて構成の簡略化を図ることもできる。
【００２１】
前記基板８上に搭載される３つのＬＥＤ６ａ〜６ｃは、光の三原色である赤色を放つＬＥＤ６ａと青色（青紫色）を放つＬＥＤ６ｂ及び緑色を放つＬＥＤ６ｃが使用され、これら３つのＬＥＤ６ａ〜６ｃが円周上に互いに等間隔で配置されている。そして、この３つのＬＥＤ６ａ〜６ｃの球心位置である前記円の中心位置に光ファイバ９の一方の端面が光進入口９ａとして位置している。また、この光ファィバ９の光進入口９ａと基板８との間の外周部は、略円錐形状の集光カバー１０で覆われており、この集光カバー１０によってＬＥＤ６ａ〜６ｃから放たれる光が光ファイバ９の光進入口９ａに反射されつつ案内されるようになっている。
【００２２】
なお、３つのＬＥＤ６ａ〜６ｃは、前記光源制御部７によって、その点灯・消灯が制御されると共に各ＬＥＤ６ａ〜６ｃの点灯時の明るさが段階的（もしくは無段階的に）制御されるように構成されている。また、図２の二点鎖線で示すように、集光カバー１０内に集光レンズ１１を配置して、３つのＬＥＤ６ａ〜６ｃの光を光進入口９ａに効率的に集光させる構成とすることもできる。
【００２３】
そして、光ファイバ９は、水栓カバー２内を引き回されて、その他方の端面が吐水管３の基部に穿設された孔に気密状態で配置され、この光ファイバ９の他方の端面によって光照射口９ｂが形成されている。この光照射口９ｂから、図２の矢印イの如く吐水管３内に光が照射されることで、光により吐水管３内の吐水流路３ａを矢印ロの如く流れる流体としての湯水Ｗ（図１参照）が発光し、この発光した湯水Ｗが吐水流路３ａを流れて吐水口３ｂから例えばカウンタ１２上に吐水される。なお、この例では、３つのＬＥＤ６ａ〜６ｃによって光の三原色を放つように構成したが、ＬＥＤ６ａ〜６ｃの代わりに赤、青、緑の三原色の光をそれぞれ放つ３つの色付き電球等を使用することも勿論可能であるし、前記光源制御部７でＬＥＤ６ａ〜６ｃの点灯・消灯のみを制御することもできる。
【００２４】
この吐水装置１によれば、例えばカウンタ１２上に置いた洗面器に所定温度の湯水Ｗを溜めようとした場合、先ず、水栓カバー２に設けられた温度調整ダイヤル４を所定位置に設定する。温度調整ダイヤル４が所定位置に設定されると、その位置に応じた温度制御部４ｃの信号によって光源制御部７を介して光源６に制御信号が出力され、３つのＬＥＤ６ａ〜６ｃのうち所定のＬＥＤ６ａ〜６ｃが点灯する。
【００２５】
この時、例えば、温度調整ダイヤル４が「冷たい」温度位置（図８の低温域１０７ｃ等）に設定されている場合は、光源制御部７で青色のＬＥＤ６ｂのみを点灯させて湯水Ｗに寒色系（青色系）の光を照射し、温度調整ダイヤル４が「あつい」温度位置（図の高温域１０７ａ等）に設定されている場合は、赤色のＬＥＤ６ａのみを点灯させて湯水Ｗに暖色系（赤色系）の光を照射する。また、温度調整ダイヤル４が４０℃等の中温位置（図８の中温域１０７ｂ等）に設定されている場合は、例えば赤色のＬＥＤ６ａと緑色のＬＥＤ６ｃを点灯させて略「黄色」の光を湯水Ｗに照射したり、各ＬＥＤ６ａ〜６ｃの明るさを光源制御部７で制御することにより、「だいだい色」や「ピンク色」の光を湯水Ｗに照射する。
【００２６】
この温度調整ダイヤル４の位置に応じた光源６の各色の光が、集光カバー１０等により集光されて光ファイバ９の光進入口９ａから進入し、これが光ファイバ９で伝送されて光照射口９ｂから吐水管３内の湯水Ｗに照射される。この湯水Ｗへの光の照射により吐水管３内の湯水Ｗが発光し、吐水装置１の図示しない操作ハンドルが操作されることにより、吐水流路３ａ内の湯水Ｗが発光した状態で流れて吐水口３ｂからカウンタ１２上に吐水される。この時、吐水管３の内面に鏡面３ｃが形成されていることから、吐水管３内に照射された光が湯水Ｗで屈折等されつつ、かつこの鏡面３ｃで反射されつつ湯水Ｗを効率的に発光させて吐水口３ｂ方向に流れ、吐水口３ｂから湯水Ｗが所定色に十分に発光した状態で吐水されることになる。
【００２７】
この吐水管３の吐水口３ｂから吐水される発光した湯水Ｗによって、入浴者が湯水Ｗの温度を一見して把握することができ、この吐水時、湯水Ｗ自体が発光することから、浴室内が薄暗い状態であっても、入浴者が湯水Ｗの温度を的確かつ簡単に視認できることになる。そして、湯水Ｗが所望の温度と異なる場合は、温度調整ダイヤル４を高温方向（例えば右方向）や低温方向（例えば左方向）に回動操作することにより、３つのＬＥＤ６ａ〜６ｃの発光状態が変化して、湯水Ｗの発光色が変化する。したがって、この湯水Ｗの発光色の変化を確認しつつ温度調整ができて、所望温度の湯水Ｗを使用しつつ快適な入浴ができることになる。
【００２８】
このように、上記実施形態の吐水装置１にあっては、水栓カバー２内に設けた光源６で、吐水管３内に温度調整ダイヤル４の設定位置に応じてその色が変化する光を照射しこの光で湯水Ｗを発光させるため、吐水口３ｂから吐水される湯水Ｗを温度調整ダイヤル４の位置、すなわち温度調整ダイヤル４で設定される湯水Ｗの温度に応じてその色を変化させることができる。特に、吐水管の内面が鏡面３ｃで形成されているため、吐水管３内の湯水Ｗに照射された所定光の光が湯水Ｗで屈折等されたり鏡面３ｃで反射されつつ吐水口３ｂ方向に流れるため、例えば吐水管３の内面を凹凸形状に形成した場合に比較して、湯水Ｗの発光効率を高めて、吐水口３ｂから吐水される湯水Ｗを所定色に十分に発光させることができると共に、吐水管３内の湯水Ｗ自体の流れが良好となる。
【００２９】
これにより、吐水口３ｂから吐水される湯水Ｗ自体を所定色に発光させることができて、その発光色により湯水Ｗの温度を入浴者が一見して把握することができ、例えば浴室内がリクラゼーション効果で薄暗い場合であっても、吐水される湯水Ｗの温度を確実かつ簡単に把握することができる。その結果、吐水装置１の浴室内おける操作性の向上が図れると共に、入浴者が誤って高温の湯を浴びたり冷水を浴びること等がなくなり、入浴時の安全性をも向上させることが可能になる。
【００３０】
また、光源６として光の三原色を放つ３つのＬＥＤ６ａ〜６ｃを使用し、これらが光ファィバ９の光進入口９ａに対して円周上に等間隔で配置されているため、各ＬＥＤ６ａ〜６ｃの発光状態により所定の光が得られて湯水Ｗを温度に対応した所望色に発光させることができる。特に、各ＬＥＤ６ａ〜６ｃの点灯・消灯や明るさ制御により無限色の光が得られて、例えば冷たい温度の湯水Ｗの時には寒色系の色で発光させ、熱い温度の湯水Ｗの時には暖色系の色で発光させることができ、温度に応じた的確な発光色の湯水Ｗを容易に得ることが可能になる。
【００３１】
さらに、光源６としてＬＥＤ６ａ〜６ｃが使用されると共に、このＬＥＤ６ａ〜６ｃの光が光ファイバ９を介して光照射口９ｂに導かれるため、光源６の消費電力の低減化が図れると共に、ＬＥＤ６ａ〜６ｃから発光される光を確実に伝送できて、吐水管３内に所定色の光を効率的に照射することができる。特に、光ファイバ９の光進入口９ａとＬＥＤ６ａ〜６ｃとの外周部に集光カバー１０が設けられているため、ＬＥＤ６ａ〜６ｃの光を光ファイバ９の光進入口９ａに確実に集光できると共に、集光レンズ１１を配置すればＬＥＤ６ａ〜６ｃの光を一層確実に集光できて、湯水Ｗの発光に係わる電力の一層の省エネ化を図ることが可能になる。
【００３２】
また、吐水管３の内面を研磨やメッキ等の鏡面仕上げすることにより鏡面３ｃに形成されているため、例えば内面に凹凸部材等を形成する場合に比較して、吐水管３自体の構成を簡略化して安価に形成することができる。また、流体色調整手段５がＬＥＤ６ａ〜６ｃとこのＬＥＤ６ａ〜６ｃが搭載された基板８上に構築された光源制御部７等で形成されているため、流体色調整手段５自体の構成の簡略化が図れると共に、光源制御部７の機能を温度調整ダイヤル４の温度制御部４ｃに兼用させることもできて、その構成の一層の簡略化が図れる。これらのことから、構成簡易して安価であると共に付加価値の高い吐水装置１を容易に得ることが可能になる。
【００３３】
またさらに、光源６や光源制御部７等からなる流体色調整手段５を水栓カバー２内に内蔵することができるため、吐水装置１自体のデザイン性を損なうことがなく、吐水装置１をデザイン性が要求される例えば図６や図７に示すような浴室水栓にも容易に適用することができて、設置の汎用性の向上を図ることが可能になる。また、吐水装置１の流体色調整手段５の作動を、前述した浴室内にリクラゼーション効果を得るために、バスタブの水面にスポットライトを照射しその反射光を浴室の壁面や天井壁に写し出すスポットライト照明装置の作動と連動させることで、吐水口３ｂから吐水される発光した湯水Ｗにより浴室内のリクラゼーション効果を一層助長できて、快適な入浴が可能になるという付随的な作用効果を得ることもできる。
【００３４】
ところで、上記実施形態においては、吐水管３の内面を鏡面仕上げしてその全域に鏡面３ｃを形成したが、例えば図４に示すように、吐水管３の内面所定位置に反射部材を配置することもできる。すなわち、吐水管３の先端部で吐水口３ｂ上方の上コーナ部３ｄの内面に反射鏡１４を配置し、この反射鏡１４に略対向する状態で吐水管３の下コーナ部３ｅに前記光ファイバ９の光照射口９ｂを配置する。この時、光ファイバ９の光照射口９ｂの方向と反射鏡１４の角度は、光照射口９ｂから照射される光が反射鏡１４で反射されて吐水口３ｂ方向に指向するように設定される。また、光ファイバ９は、吐水管３の外周下面外側にクランプ１３や接着剤等により一体的に取り付けられるか、あるいは吐水管３の周壁内に埋設状態で配設される。
【００３５】
このように構成すれば、光ファイバ９の光照射口９ｂから照射される光を、吐水管３の吐水口３ｂ部分にのみ照射させて、吐水口３ｂから吐水される湯水Ｗを直接発光させることができると共に、反射鏡１４で反射された光によっても湯水Ｗを発光させることができることから、少ない光量の光で吐水口３ｂから吐水され湯水Ｗが十分に発光させることができて、入浴者に湯水Ｗの色を確実に視認させることができる。この例の場合、図４の二点鎖線ａで示すように、上コーナ部３ｄの内面形状を予め所定角度の平面に形成し、この平面を研磨やメッキ等の鏡面仕上げすることで所定面積の鏡面３ｃを形成し、この鏡面３ｃに前記反射鏡１４と同様の機能を持たせることもできる。
【００３６】
また、この例においては、吐水管３の下コーナ部３ｅに光ファイバ９の光照射口９ｂを配置したが、例えば図５に示すように、所定の色を放つ一つもしくは複数の電球等の光源６を直接的に配置し、この光源６からの光を前記反射鏡１４等に照射・反射させるようにしても良い。この時、電球等の光源６を吐水口３ｂの外部でなく、図５の二点鎖線で示すように、吐水口３ｂの内部に配置して光の照射方向を拡大させても良い。このように構成しても、吐水口３ｂの外部や内部に配置した電球等の光源６で湯水Ｗを十分に発光させることができて、上記実施形態と同様の作用効果が得られる。
【００３７】
なお、上記実施形態においては、吐水装置１を図６に示すデッキタイプの浴室水栓１０１に適用した場合について説明したが、図７に示すビルトインタイプの浴室水栓１０１にも適用することができるし、浴室のシャワー装置に適用しそのシャワーヘッドから吐水される湯水を発光させることもできる。また、浴室水栓に限らず、洗面室水栓やトイレ水栓、台所水栓等のように湯水を使用する各種水栓に適用して、その吐水口から吐水される湯水を温度に応じて十分に発光させることもできる。
【００３８】
【発明の効果】
以上詳述したように、請求項１に記載の発明によれば、流体色調整手段の光が吐水管中の流体に照射されて該流体が所定色に発光すると共に、吐水管内の流体が光を反射する反射手段によって発光されつつ吐水されるため、流体が光によって効率的に発光されて、吐水装置の設置場所の照明状態等に係わらず流体自体の色で流体の温度が一見して明確に把握される等、流体温度の視認性を十分に高めることができる。
【００３９】
また、請求項２に記載の発明によれば、請求項１に記載の発明の効果に加え、吐水管の内面を鏡面に仕上げることで反射手段が形成されるため、反射手段を簡易に構成できると共に、吐水管内面の流体抵抗の低減化が図れて、発光した流体の良好な吐水状態を得ることができる。
【００４０】
また、請求項３に記載の発明によれば、請求項１に記載の発明の効果に加え、反射鏡等の反射部材によって反射手段が形成されるため、反射部材を吐水管の最適位置に容易に設置できて、吐水口から吐水される流体を光により一層効率的に発光させることができる。
【００４１】
また、請求項４に記載の発明によれば、請求項１ないし３に記載の発明の効果に加え、流体を発光させる光源が反射部材に対応して吐水管に設けられているため、光源の光を反射手段に確実に照射することができて、その反射光等で吐水口から吐水される流体をより一層効率的に発光させることができる。
【００４２】
また、請求項５に記載の発明によれば、請求項１ないし４に記載の発明の効果に加え、流体の温度を設定する温度制御部材に連動して流体色調整手段が動作するため、例えば設定された流体の温度に応じた色で流体を発光させることができ、温度に応じた発光色の流体を容易に得ることができて、流体温度の把握が簡単かつ確実に行える等の効果を奏する。
【図面の簡単な説明】
【図１】本発明に係わる吐水装置の一実施形態の基本的構成を示す一部破断した縦断面図
【図２】同流体色調整手段の具体的構成を示す断面図
【図３】同図２のＡ−Ａ線矢視図
【図４】同反射手段の変形例を示す断面図
【図５】同光源の変形例を示す断面図
【図６】従来の浴室水栓の斜視図
【図７】従来の他の浴室水栓の斜視図
【図８】同浴室水栓における温度調整ダイヤル部分の正面図
【符号の説明】
１・・・・・・・吐水装置
２・・・・・・・水栓カバー
３・・・・・・・吐水管
３ａ・・・・・・吐水流路
３ｂ・・・・・・吐水口
３ｃ・・・・・・鏡面
４・・・・・・・温度調整ダイヤル
４ａ・・・・・・操作部
４ｂ・・・・・・温度指示部
４ｃ・・・・・・温度制御部
５・・・・・・・流体色調整手段
６・・・・・・・光源
６ａ〜６ｃ・・・ＬＥＤ
７・・・・・・・光源制御部
８・・・・・・・基板
９・・・・・・・光ファイバ
９ａ・・・・・・光進入口
９ｂ・・・・・・光照射口
１０・・・・・・集光カバー
１４・・・・・・反射鏡
Ｗ・・・・・・・湯水
【図１】
2004124450.tif 000003
【図２】
2004124450.tif 000004
【図３】
2004124450.tif 000005
【図４】
2004124450.tif 000006
【図５】
2004124450.tif 000007
【図６】
2004124450.tif 000008
【図７】
2004124450.tif 000009
【図８】
2004124450.tif 000010